(57)【要約】【課題】卓球ラケットにおいて、軽量化と球に対する反撥力を高める。【解決手段】ラケット１のベースプレート２を中空に形成する。同じ材質であればラケットを軽量化できる。又、中空のベースプレート２は、ラケット１に球が当たったときの反撥力が大きくなる。ラケット１の軽量化によって、ラケット１の振りスピードを速めることができ、ベースプレート２の球に対する反撥力が大きくなると、球を遠くまで飛ばすことができるから、結果的に強く、速い球を打つことができる。【選択図】図２
2009006008.tif 000002
【特許請求の範囲】
【請求項１】
ベースプレート(２)を中空とした、卓球ラケット。
【請求項２】
ベースプレート(２)内が中空の小室(22)(22)に区画されている、卓球ラケット。
【請求項３】
中空内部(21)に、発泡樹脂を充填している、請求項１又は２に記載の卓球ラケット。
【請求項４】
中空内部(21)に、圧縮空気等の圧縮気体を充填している、請求項１又は２に記載の卓球ラケット。
【請求項５】
ベースプレート(２)は合成樹脂にて形成されている、請求項１乃至４の何れかに記載の卓球ラケット。
【請求項６】
ベースプレート(２)は金属にて形成されている、請求項１乃至４の何れかに記載の卓球ラケット。
【発明の詳細な説明】
【技術分野】
【０００１】
本発明は卓球ラケットに関するものである。
【背景技術】
【０００２】
卓球は球の直径が３８mmから４０mmになり、又、公式外では直径４４mmのラージ球でのゲームも行われている。
【発明の開示】
【発明が解決しようとする課題】
【０００３】
軽くて中空である卓球の球は、大きくなると、小径の球に較べて打球速度が遅くなるのが顕著である。プレーヤは速い球を打つことができる様に、ラケットの改良を求める。
本発明は、プレーヤの要求を満たすべく、速い球を打つことのできる卓球ラケットを明らかにするものである。
【課題を解決するための手段】
【０００４】
請求項１の卓球ラケット(１)は、ベースプレート(２)が中空に形成されている。
【０００５】
請求項２の卓球ラケット(１)は、ベースプレート(２)内が中空の小室(22)に区画されている。
【０００６】
請求項３は請求項１又は２の卓球ラケット(１)において、ベースプレート(２)の中空内部(21)に発泡樹脂を充填している。
【０００７】
請求項４は請求項１又は２の卓球ラケット(１)において、ベースプレート(２)の中空内部(21)に圧縮空気等の圧縮気体を充填している。
【０００８】
請求項５は請求項１乃至４の卓球ラケット(１)において、ベースプレート(２)は合成樹脂にて形成されている。
【０００９】
請求項６は請求項１乃至４の何れかの卓球ラケット(１)において、ベースプレート(２)は金属にて形成されている。
【発明の効果】
【００１０】
請求項１の卓球ラケット(１)の様に、ベースプレート(２)を中空に形成すれば、同じ材質であればラケットを軽量化できる。又、中空のベースプレート(２)は、ラケット(１)に球が当たったときの反撥力が、中実のラケットより大きくなる。
ラケット(１)の軽量化によって、ラケット(１)の振りのスピードを速めることができ、ベースプレート(２)の球に対する反撥力が大きくなると、球を遠くまで飛ばすことができるから、結果的に強く、速い球を打つことができる。
又、ベースプレート(２)を中空にすると、打球音がよくなり、打球を一層速く感じさせる。
【００１１】
請求項２の卓球ラケット(１)の様に、ベースプレート(２)内を中空の小室(22)(22)に区画すると、請求項１と同様の効果を奏する。又、隣り合う小室(22)(22)を仕切る壁(23)が補強となって、ベースプレート(２)を薄く形成しても、ベースプレート(２)が必要以上に弾性変形することを防止できる。
【００１２】
請求項３の卓球ラケット(１)の様に、ベースプレート(２)の中空内部(21)に発泡樹脂を充填すれば、発泡樹脂が補強材となって、ベースプレート(２)を薄く形成しても、ベースプレート(２)が必要以上に弾性変形することを防止できる。
【００１３】
請求項４の卓球ラケット(１)の様に、中空内部(21)に圧縮空気等の圧縮気体を充填しているベースプレート(２)は、単なる中空のベースプレート(２)に較べて球に対する反撥力が高まるため、一層速い打球を繰り出すことができる。
【００１４】
請求項５の卓球ラケット(１)の様に、ベースプレート(２)を合成樹脂で形成すれば、天然木で形成したベースプレート(２)に較べて品質が安定する。
【００１５】
請求項６の卓球ラケット(１)の様に、ベースプレート(２)を合成樹脂で形成すれば、天然木で形成したベースプレート(２)に較べて品質が安定する。
【発明を実施するための最良の形態】
【００１６】
図１、図２に示す卓球ラケット(１)は、公知の如く、ベースプレート(２)のハンドル部(20)の両面にコルク等、手に馴染み易い材質のグリップ部材(３)(３)を接合して形成されている。
卓球ラケット(１)をゲームで使用するには、ベースプレート(２)の両打球面にラバー(４)(４)を接合する。
【００１７】
上記ベースプレート(２)は全体が、或いはハンドル部側である基端部を除いて、中空に形成されている。
実施例では、ベースプレート(２)の中空内部(21)の複数箇所に補強用の柱(24)(24)を設けている。
【００１８】
ベースプレート(２)の中空内部(21)に、発泡樹脂や圧縮気体を充填してもよい。
【００１９】
図３、図４に示す如く、ベースプレート(２)の中空内部(21)を複数の小室(22)(22)に区画してもよい。又、各小室内(22)(22)に発泡樹脂や圧縮気体を充填してもよい。
【００２０】
上記ベースプレート(２)は、合成樹脂や、金属で形成することができるが、材質は問わない。
【００２１】
然して、ベースプレート(２)を中空にすれば、ラケット(１)を軽量化できる。又、中空のベースプレート(２)は、ラケット(１)に球が当たったときの反撥力が大きくなる。
ラケット(１)の軽量化によって、ラケットの振りの速度を速めることができ、ベースプレート(２)の球に対する反撥力が大きくなると、球を遠くまで飛ばすことができるから、結果的に強く、速い球を打つことができる。
【００２２】
ベースプレート(２)内を中空の小室(22)(22)に区画すると、隣り合う小室(22)(22)を仕切る壁(23)が補強となって、ベースプレート(２)を薄く形成しても、ベースプレート(２)が必要以上に弾性変形することを防止できる。
【００２３】
ベースプレート(２)の中空内部(21)に発泡樹脂を充填すれば、発泡樹脂が補強材となって、ベースプレート(２)を薄く成形しても、ベースプレート(２)が必要以上に弾性変形することを防止できる。
【００２４】
中空内部(21)に圧縮空気等の圧縮気体を充填しているベースプレート(２)は、単なる中空のベースプレート(２)に較べて球に対する反撥力が高まるため、一層速い打球を繰り出すことができる。
【００２５】
ベースプレート(２)を合成樹脂や金属で形成すれば、天然木で形成したベースプレート(２)に較べて品質が安定する。
【００２６】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２７】
例えば、ベースプレート(２)の上に、カーボンシート、グラスファイバーシート、アルミニュームシート等、球に対する反撥性を増すシートを貼ることができる。
又、ベースプレート(２)をハンドル部(20)を含む全体を中空とすることもできる。
更に、グリップ部材(３)の部分までを、中空とすることもできる。
【図面の簡単な説明】
【００２８】
【図１】一部を破断したラケットの正面図である。
【図２】図１Ａ−Ａ線に沿うラケットの断面図である。
【図３】他の実施例のラケットの一部を破断した正面図である。
【図４】図３Ｂ−Ｂ線に沿うラケットの断面図である。
【符号の説明】
【００２９】
１  ラケット
２  ベースプレート
20  ハンドル部
21  中空内部
22  小室
３  グリップ部
【図１】
2009006008.tif 000003
【図２】
2009006008.tif 000004
【図３】
2009006008.tif 000005
【図４】
2009006008.tif 000006